(57)【要約】【課題】本発明は、分割絶縁キャップの突出部の内壁に形成された突起を、突出磁極の歯部の外壁に接触させることにより、突出磁極に対する分割絶縁キャップの取付けを確実化することを目的とする。【解決手段】本発明によるレゾルバステータ構造は、各分割絶縁キャップ(2)に形成され突出磁極(1a)を覆う突出部(8)の内壁(8bA)に突起(12)を設け、前記突起(12)が突出磁極(1a)の先端に形成され基部(1aC)よりも幅広に形成された歯部(1aA)の背面(1aB)に接触している構成である。【選択図】図３
2010004654.tif 000002
【特許請求の範囲】
【請求項１】
内方へ向けて突出し全体形状がＴ字状をなす複数の突出磁極(1a)を所定角度間隔毎に有する輪状ステータ(1)と、前記輪状ステータ(1)の両面に設けられ所定角度毎に分割された複数の分割絶縁キャップ(2)と、前記各分割絶縁キャップ(2)に形成され前記突出磁極(1a)を覆う突出部(8)と、前記突出部(8)の内壁(8bA)に形成された突起(12)と、を備え、
前記突起(12)は、前記突出磁極(1a)の先端に形成されその基部(1aC)よりも幅広に形成された歯部(1aA)の背面(1aB)に接触していることを特徴とするレゾルバステータ構造。
【請求項２】
前記突起(12)は、複数よりなり、かつ、前記突出部(8)の半径方向(R)に対して交差する方向に傾斜する前記内壁(8bA)に設けられていることを特徴とする請求項１記載のレゾルバステータ構造。
【発明の詳細な説明】
【技術分野】
【０００１】
本発明は、レゾルバステータ構造に関し、特に、分割絶縁キャップの突出部の内壁に形成された突起を、突出磁極の歯部の背面に接触させることにより、突出磁極に対する分割絶縁キャップの取付けを確実化するための新規な改良に関する。
【背景技術】
【０００２】
従来、用いられていたこの種のレゾルバステータ構造としては、例えば、特許文献１及び２に開示された構成を挙げることができるが、何れも、輪状ステータに対して嵌め込まれた輪状絶縁キャップは、単なる面と面による嵌合のみで組み合わされ、輪状ステータに対する輪状絶縁キャップの抜け止め構造、又は、強嵌合構造等の手段は特に採用されていなかった。
また、大径の大型レゾルバにおいては、この輪状絶縁キャップが複数の分割絶縁キャップで構成されているが、この場合も、抜け止め及び強嵌合等の特別な構造は採用されておらず、単に嵌め合いのみであった。
【０００３】
【特許文献１】米国特許第６，７５０，５７７号Ｂ２明細書
【特許文献２】米国特許第６，８３８，８０４号Ｂ２明細書
【発明の開示】
【発明が解決しようとする課題】
【０００４】
従来のレゾルバステータ構造は、以上のように構成されていたため、次のような課題が存在していた。
すなわち、輪状ステータに対して分割絶縁キャップを取り付ける場合、輪状ステータの各突出磁極に対して、その外形状に沿って成形された分割絶縁キャップを嵌め込むだけであるため、樹脂成形時の歪み等により、輪状ステータからの浮きや抜けが発生しやすく、この輪状ステータに対して分割絶縁キャップを取り付け後に、輪状ステータを巻線機に搬送させる場合に、この分割絶縁キャップが輪状ステータから離脱することがあり、作業効率を向上させることが困難であった。
また、輪状ステータに取り付けた分割絶縁キャップの上からステータ巻線を巻く場合、この分割絶縁キャップが輪状ステータの突出磁極からわずかに浮くと、巻線が所定位置に巻かれなくなり、整列巻きが困難であった。
【課題を解決するための手段】
【０００５】
本発明によるレゾルバステータ構造は、内方へ向けて突出し全体形状がＴ字状をなす複数の突出磁極を所定角度間隔毎に有する輪状ステータと、前記輪状ステータの両面に設けられ所定角度毎に分割された複数の分割絶縁キャップと、前記各分割絶縁キャップに形成され前記突出磁極を覆う突出部と、前記突出部の内壁に形成された突起と、を備え、前記突起は、前記突出磁極の先端に形成されその基部よりも幅広に形成された歯部の背面に接触している構成であり、また、前記突起は、複数よりなり、かつ、前記突出部の半径方向に対して交差する方向に傾斜する前記内壁に設けられている構成である。
【発明の効果】
【０００６】
本発明によるレゾルバステータ構造は、以上のように構成されているため、次のような効果を得ることができる。
すなわち、内方へ向けて突出し全体形状がＴ字状をなす複数の突出磁極を所定角度間隔毎に有する輪状ステータと、前記輪状ステータの両面に設けられ所定角度毎に分割された複数の分割絶縁キャップと、前記各分割絶縁キャップに形成され前記突出磁極を覆う突出部と、前記突出部の内壁に形成された突起と、を備え、前記突起は、前記突出磁極の先端に形成されその基部よりも幅広に形成された歯部の背面に接触しているため、分割絶縁キャップを１度輪状ステータの突出磁極に嵌め込むだけで、前記突起が突出磁極と分割絶縁キャップとの間の隙間をなくし、確実な嵌め合いを得ることができ、巻線の効率と精度を向上させることができる。また、前記突起は、複数よりなり、かつ、前記突出部の半径方向に対して交差する方向に傾斜する前記内壁に設けられていることにより、輪状ステータの突出磁極と分割絶縁キャップとの嵌め合いを確実化できる。
【発明を実施するための最良の形態】
【０００７】
本発明は、分割絶縁キャップの突出部の内壁に形成された突起を、突出磁極の歯部の背面に接触させることにより、突出磁極に対する分割絶縁キャップの取付けを確実化するようにしたレゾルバステータ構造を提供することを目的とする。
【実施例】
【０００８】
以下、図面と共に本発明によるレゾルバステータ構造の好適な実施の形態について説明する。
図１は、本発明に適用する輪状ステータ１を示すもので、この輪状ステータ１の内周には、所定角度間隔で複数の突出磁極１ａが内方に突出して形成されている。
【０００９】
前記輪状ステータ１の両面には、複数の分割された分割絶縁キャップ２からなる輪状絶縁キャップ３が設けられている。
前記各分割絶縁キャップ２は、２個の突出磁極１ａに各々対応するように形成されている。
【００１０】
前記各分割絶縁キャップ２は、図２及び図３で示されるように構成されている。
すなわち、前記分割絶縁キャップ２は、図２では前記輪状ステータ１に取付けた状態の表面４を示しており、渡り線ガイド部５と巻線保護壁６が形成されている。
【００１１】
前記分割絶縁キャップ２は、全体形状が弧状をなすと共に、その内面７側からは、前記輪状ステータ１の各突出磁極１ａの形状に沿って形成された突出部８が形成され、この突出部８はＴ字状をなす各突出磁極１ａとほぼ同じ形状で構成されている。
前記突出部８の先端には、この突出部８の根元８ａよりも大である膨大部８ｂが形成され、この膨大部８ｂの先端には軸方向に沿って延設された耳部９Ａが形成されている。
【００１２】
図３は、前記分割絶縁キャップ２の裏面１０を示しており、前記突出部８及び膨大部８ｂには、前記各突出磁極１ａを覆うための壁１１が軸方向に沿って一体に形成されている。
【００１３】
図３では、前記分割絶縁キャップ２の裏面１０に輪状ステータ１の各突出磁極１ａが嵌め合わされた状態を示しており、前記突出部８の膨大部８ｂの内壁８ｂＡには、断面半円型をなす突起１２が、図５で示されるように、軸方向に沿って延設されている。
【００１４】
前記内壁８ｂＡの面方向は、前記突出磁極１ａ及び突出部８の半径方向Ｒに対して非平行でかつ交差する方向に形成され、かつ、前記突出磁極１ａの先端でその基部１ａＣより幅広の歯部１ａＡの背面１ａＢとほぼ平行に形成されている。
【００１５】
前記突起１２は、前記膨大部８ｂの両側に形成されると共に、前記歯部１ａＡの両側の背面１ａＢに当接している。
従って、前記輪状ステータ１の一対の突出磁極１ａに前記分割絶縁キャップ２を嵌め込むと（すなわち、図３の図面と鉛直な裏面側からの嵌め込み）、前記各突起１２は前記各歯部１ａＡの背面１ａＢに比較的強い接触圧で接触するため、前記分割絶縁キャップ２は、前記各突出磁極１ａに接続される。
【００１６】
前記分割絶縁キャップ２を所要数だけ前記輪状ステータ１の両面に嵌め合わせると、前記輪状ステータ１の両面には、輪状絶縁キャップ３が形成され、図示しない巻線機を介して各突出磁極１ａに対し各突出部８の表面にステータ巻線を巻回させることができる。
【００１７】
前記突起１２の形成位置は、前述の図３から図５の位置だけでなく、例えば、前記膨大部８ｂの両側、突出部８の半径方向Ｒと同一方向の何れかとすることもできる。
【図面の簡単な説明】
【００１８】
【図１】本発明によるレゾルバステータ構造を示す斜視図である。
【図２】図１の分割絶縁キャップの平面図である。
【図３】図２の裏面図である。
【図４】図３の要部の拡大図である。
【図５】図２の矢視Ａ図である。
【符号の説明】
【００１９】
１    輪状ステータ
１ａ    突出磁極
１ａＡ    歯部
１ａＢ    背面
１ａＣ    基部
２    分割絶縁キャップ
３    輪状絶縁キャップ
４    表面
５    渡り線ガイド部
６    巻線保護壁
７    内面
８    突出部
８ａ    根元
８ｂ    膨大部
８ｂＡ    内壁
９Ａ    耳部
１０    裏面
Ｒ    半径方向
１１    壁
１２    突起
【図１】
2010004654.tif 000003
【図２】
2010004654.tif 000004
【図３】
2010004654.tif 000005
【図４】
2010004654.tif 000006
【図５】
2010004654.tif 000007